(57)【要約】【課題】ユーザがコンテンツを効率よく検索することが可能な情報処理装置、情報処理方法およびプログラムを提供する。【解決手段】ユーザ操作の検出を行う操作検出部と、表示画面の中央を含む部分にコンテンツを表示させ、前記表示画面の中央から離れて位置する領域において、前記表示画面の一辺に沿った一方向に、１のカテゴリに属するコンテンツに係るサムネイルを表示させる表示制御部と、を備え、前記表示制御部は、前記操作検出部により検出される、表示させるサムネイルに係るコンテンツの属する前記１のカテゴリの切り替え操作に応じて、切り替え前の第１のカテゴリに属するコンテンツに係るサムネイルを移動させながら徐々に消し、切り替え先の第２のカテゴリに属するコンテンツに係るサムネイルを移動させながら表示させる、情報処理装置。【選択図】図１３
2020173862.tif 000002
【特許請求の範囲】
【請求項１】
ユーザ操作の検出を行う操作検出部と、
表示画面の中央を含む部分にコンテンツを表示させ、
前記表示画面の中央から離れて位置する領域において、前記表示画面の一辺に沿った一方向に、１のカテゴリに属するコンテンツに係るサムネイルを表示させる表示制御部と、
を備え、
前記表示制御部は、前記操作検出部により検出される、表示させるサムネイルに係るコンテンツの属する前記１のカテゴリの切り替え操作に応じて、前記一方向に対して垂直方向に、表示されているサムネイルを移動させる情報処理装置。
【請求項２】
前記領域は、表示画面に表示されるコンテンツの表示領域よりも小さい領域である、請求項１に記載の情報処理装置。
【請求項３】
前記表示制御部は、サムネイルを、前記サムネイルに係るコンテンツの属するグループがユーザに認識されるように表示する、請求項２に記載の情報処理装置。
【請求項４】
前記表示制御部は、グループを示すオブジェクトを、前記グループに属するコンテンツに係るサムネイルの周辺に表示させる、請求項３に記載の情報処理装置。
【請求項５】
前記表示制御部は、前記操作検出部によりサムネイルに対する選択操作が検出されると、選択操作が行われたサムネイルに係るコンテンツの属するグループを示すオブジェクトの表示を強調させる、請求項４に記載の情報処理装置。
【請求項６】
前記表示制御部は、前記操作検出部により検出されるユーザ操作に応じてサムネイルを移動させ、
先に移動されるサムネイルに対して後続のサムネイルを遅れて移動させる、請求項２に記載の情報処理装置。
【請求項７】
前記表示制御部は、前記１のカテゴリを切り替える際、前記一方向に対して垂直方向に、表示されているサムネイルを動かした後、次に表示させるカテゴリに属するコンテンツに係るサムネイルを、前記一方向に対して垂直方向に移動させながら表示する、請求項６に記載の情報処理装置。
【請求項８】
前記表示制御部は、前記操作検出部によりスクロール操作が検出されると、スクロール方向にあるサムネイルを、スクロール方向に対して反対方向にあるサムネイルよりも遅らせて、サムネイルをスクロール方向に対して反対方向に移動させる、請求項６に記載の情報処理装置。
【請求項９】
前記スクロール操作は、操作オブジェクトをスクロール方向の表示画面の端の領域に位置させる操作である、請求項８に記載の情報処理装置。
【請求項１０】
前記表示制御部は、前記操作オブジェクトの位置がスクロール方向の表示画面の端の領域のうちの表示画面の端の近い位置であるほど、サムネイルの移動速度を速くする、請求項９に記載の情報処理装置。
【請求項１１】
前記表示制御部は、サムネイルの初期表示の際、画面中央に向かう方向にサムネイルを移動させながら表示させた後、画面中央に向かう方向への移動量よりも少ない移動量で画面中央から離れる方向にサムネイルを移動させる、請求項２に記載の情報処理装置。
【請求項１２】
前記表示制御部は、前記サムネイルの初期表示の際、画面中央に向かう方向にサムネイルを移動させながら表示させた際に、初期表示後の最初のカテゴリの切り替えにより表示されるカテゴリに属するコンテンツに係るサムネイルの一部を一時的に表示させる、請求項１１に記載の情報処理装置。
【請求項１３】
前記表示制御部は、操作オブジェクトの位置が他のサムネイルの位置よりも近いサムネイルにフォーカスを当てる、請求項２に記載の情報処理装置。
【請求項１４】
前記表示制御部は、前記操作検出部により検出される操作体の移動量が所定の量を上回る場合、フォーカス中のサムネイルの前記操作体の移動方向に隣接するサムネイルにフォーカスを当てる、請求項２に記載の情報処理装置。
【請求項１５】
前記表示制御部は、カテゴリの一覧を表示させ、
前記操作検出部によりカテゴリの選択操作が検出されると、選択操作が行われたカテゴリに属するコンテンツに係るサムネイルを表示させる、請求項１に記載の情報処理装置。
【請求項１６】
前記表示制御部は、表示されるコンテンツにサムネイルを重畳表示させる、請求項１に記載の情報処理装置。
【請求項１７】
ユーザ操作の検出を行うことと、
表示画面の中央を含む部分にコンテンツを表示させ、
前記表示画面の中央から離れて位置する領域において、前記表示画面の一辺に沿った一方向に、１のカテゴリに属するコンテンツに係るサムネイルを表示させることと、
検出される、表示させるサムネイルに係るコンテンツの属する前記１のカテゴリの切り替え操作に応じて、前記一方向に対して垂直方向に、表示されているサムネイルを移動させることと、
を含む情報処理方法。
【請求項１８】
ユーザ操作の検出を行う操作検出機能と、
表示画面の中央を含む部分にコンテンツを表示させ、
前記表示画面の中央から離れて位置する領域において、前記表示画面の一辺に沿った一方向に、１のカテゴリに属するコンテンツに係るサムネイルを表示させ、
前記操作検出機能により検出される、表示させるサムネイルに係るコンテンツの属する前記１のカテゴリの切り替え操作に応じて、前記一方向に対して垂直方向に、表示されているサムネイルを移動させる表示制御機能と、
をコンピュータに実現させるためのプログラム。
【発明の詳細な説明】
【技術分野】
【０００１】
本開示は、情報処理装置、情報処理方法およびプログラムに関する。
【背景技術】
【０００２】
近年、情報通信技術の発展に伴い、通信を介して取得されたコンテンツを表示する表示機器が開発され、一般に普及している。例えば、インターネット等を介してコンテンツをサーバから取得し、取得されたコンテンツを表示するテレビジョン受像機等が挙げられる。
【０００３】
また、上記のような表示機器は、取得されたコンテンツのうちの表示させるコンテンツをユーザに選択させるために、コンテンツ一覧等を表示させることが一般的である。例えば、非特許文献１では、表示可能なコンテンツの一覧を表示し、選択されたコンテンツを
表示するテレビジョン受像機が開示されている。
【先行技術文献】
【非特許文献】
【０００４】
【非特許文献１】“ＢＲＡＶＩＡ  電子取説”、インターネット（ＵＲＬ：http://www.sony.jp/support/tv/i-manual/x9200a/jpn/c_selchl_zapui.html）
【発明の概要】
【発明が解決しようとする課題】
【０００５】
しかし、コンテンツを視聴しながら、次に表示させるコンテンツを検索したいというニーズに対し、インターネット等を介して得られるコンテンツは数が多いため、視聴中のコンテンツの表示を妨げずに、検索用に表示させるコンテンツ一覧に係るコンテンツの数を増やすことは難しい。そのため、ユーザは表示させたいコンテンツを探すために時間をかけて煩雑な操作を行うことになる場合がある。
【０００６】
そこで、本開示は、ユーザがコンテンツを効率よく検索することが可能な、新規かつ改良された情報処理装置、情報処理方法およびプログラムを提案する。
【課題を解決するための手段】
【０００７】
本開示によれば、ユーザ操作の検出を行う操作検出部と、表示画面の中央を含む部分にコンテンツを表示させ、前記表示画面の中央から離れて位置する領域において、前記表示画面の一辺に沿った一方向に、１のカテゴリに属するコンテンツに係るサムネイルを表示させる表示制御部と、を備え、前記表示制御部は、前記操作検出部により検出される、表示させるサムネイルに係るコンテンツの属する前記１のカテゴリの切り替え操作に応じて、切り替え前の第１のカテゴリに属するコンテンツに係るサムネイルを移動させながら徐々に消し、切り替え先の第２のカテゴリに属するコンテンツに係るサムネイルを移動させながら表示させる、情報処理装置が提供される。
【０００８】
また、本開示の別の観点によれば、ユーザ操作の検出を行うことと、表示画面の中央を含む部分にコンテンツを表示させ、前記表示画面の中央から離れて位置する領域において、前記表示画面の一辺に沿った一方向に、１のカテゴリに属するコンテンツに係るサムネイルを表示させることと、検出される、表示させるサムネイルに係るコンテンツの属する前記１のカテゴリの切り替え操作に応じて、切り替え前の第１のカテゴリに属するコンテンツに係るサムネイルを移動させながら徐々に消し、切り替え先の第２のカテゴリに属するコンテンツに係るサムネイルを移動させながら表示させることと、を含む情報処理方法が提供される。
【０００９】
また、本開示の別の観点によれば、ユーザ操作の検出を行う操作検出機能と、表示画面の中央を含む部分にコンテンツを表示させ、前記表示画面の中央から離れて位置する領域において、前記表示画面の一辺に沿った一方向に、１のカテゴリに属するコンテンツに係るサムネイルを表示させ、前記操作検出機能により検出される、表示させるサムネイルに係るコンテンツの属する前記１のカテゴリの切り替え操作に応じて、切り替え前の第１のカテゴリに属するコンテンツに係るサムネイルを移動させながら徐々に消し、切り替え先の第２のカテゴリに属するコンテンツに係るサムネイルを移動させながら表示させる表示制御機能と、をコンピュータに実現させるためのプログラムが提供される。
【発明の効果】
【００１０】
以上説明したように本開示によれば、ユーザがコンテンツを効率よく検索することが可能な情報処理装置、情報処理方法およびプログラムが提供される。なお、上記の効果は必ずしも限定的なものではなく、上記の効果とともに、または上記の効果に代えて、本明細
書に示されたいずれかの効果、または本明細書から把握され得る他の効果が奏されてもよい。
【図面の簡単な説明】
【００１１】
【図１】本開示の一実施形態に係る情報処理装置の概要を説明するための図である。
【図２】本開示の一実施形態に係る情報処理装置の概略的な機能構成を示すブロック図である。
【図３】本実施形態に係る情報処理装置のサムネイル表示処理の例を説明するためのイメージ図である。
【図４】本実施形態に係る情報処理装置のサムネイルに対するフォーカス表示を示す図である。
【図５】本実施形態に係る情報処理装置のサムネイルのスクロールを示す図である。
【図６】本実施形態における情報処理装置の処理を概念的に示すフローチャートである。
【図７】本実施形態の第１の変形例に係る情報処理装置のグループ表示を示す図である。
【図８】本実施形態の第２の変形例に係る情報処理装置のグループ名の強調表示を示す図である。
【図９】本実施形態の第３の変形例に係る情報処理装置のカテゴリ切り替え時におけるサムネイルの表示の変化の例を示す図である。
【図１０】本実施形態の第４の変形例に係る情報処理装置のスクロール時のサムネイルの表示の変化の例を示す図である。
【図１１】本実施形態の第５の変形例に係る情報処理装置のサムネイルの初期表示時の表示の変化の例を示す図である。
【図１２】本実施形態の第６の変形例に係る情報処理装置のサムネイルの初期表示時の表示の変化の他の例を示す図である。
【図１３】本実施形態の第７の変形例に係る情報処理装置のカテゴリ一覧の選択によるサムネイルの表示の変化の例を示す図である。
【図１４】本開示に係る情報処理装置のハードウェア構成を示した説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．本開示の一実施形態に係る情報処理装置の概要
２．本開示の一実施形態
２−１．本実施形態に係る情報処理装置の構成
２−２．本実施形態における情報処理装置の処理
２−３．本実施形態における変形例
３．本開示の一実施形態に係る情報処理装置のハードウェア構成
４．むすび
【００１４】
＜１．本開示の一実施形態に係る情報処理装置の概要＞
まず、図１を参照して、本開示の一実施形態に係る情報処理装置の概要について説明する。図１は、本開示の一実施形態に係る情報処理装置の概要を説明するための図である。
【００１５】
情報処理装置１００は、表示部１１２を備え、コンテンツを表示部１１２に表示する。また、情報処理装置１００は、表示部１１２に表示させるコンテンツを選択するためのオブジェクトを表示部１１２に表示する。例えば、オブジェクトは、コンテンツに係るサムネイルであり得る。そのため、情報処理装置１００は、コンテンツを表示させながら、サ
ムネイルを表示することが可能である。
【００１６】
例えば、図１に示したように、情報処理装置１００は、表示部１１２にコンテンツを表示し、さらに、表示させるコンテンツを選択するためのサムネイルＡ〜Ｅを重畳表示することが可能である。
【００１７】
ここで、表示対象のコンテンツが複数存在する場合、表示されるサムネイルは当該コンテンツの数だけ増加する。そして、サムネイルの数が多くなると、ユーザは視聴したいコンテンツを検索するために１つ１つのサムネイルを確認する等の煩雑な操作を行うことになる。一方、コンテンツの検索のために、再生中のコンテンツの表示が遮られることは、ユーザの利便性を損なうことになる。そこで、情報処理装置１００は、再生中のコンテンツは表示させたまま、表示対象のコンテンツの属するカテゴリの判別を行い、１のカテゴリに属するコンテンツに係るサムネイル（以下、カテゴリに係るサムネイルとも呼ぶ。）を表示する。さらに、情報処理装置１００は、表示されるサムネイルに係るコンテンツの属する１のカテゴリを、ユーザ操作に応じて切り替える。
【００１８】
例えば、情報処理装置１００は、ある１のカテゴリ「Ｃａｔｅｇｏｒｙ１」に属するコンテンツのサムネイルＡ〜Ｅを表示する。そして、情報処理装置１００は、ユーザによりカテゴリ切り替え操作が行われると、表示されている、カテゴリ「Ｃａｔｅｇｏｒｙ１」に属するコンテンツに係るサムネイルを、切り替え先のカテゴリに属するコンテンツのサムネイルを表示する。
【００１９】
このように、本開示の一実施形態に係る情報処理装置１００は、コンテンツを表示させながら、１のカテゴリに属するコンテンツに係るサムネイルを表示し、ユーザ操作に応じて、表示されるサムネイルに係るコンテンツの属する１のカテゴリを切り替える。このため、ユーザの利便性を損なうことなく、ユーザはカテゴリ別にコンテンツに係るサムネイルを確認することができ、効率の良いコンテンツ検索が可能となる。なお、図１においては情報処理装置１００の一例としてテレビジョン受像機を示したが、情報処理装置１００は、タブレット端末またはパーソナルコンピュータ等であってもよい。
【００２０】
＜２．本開示の一実施形態＞
［２−１．本実施形態に係る情報処理装置の構成］
以上、本開示の一実施形態に係る情報処理装置１００の概要について説明した。次に、図２を参照して、本開示の一実施形態に係る情報処理装置１００の構成について説明する。図２は、本開示の一実施形態に係る情報処理装置１００の概略的な機能構成を示すブロック図である。
【００２１】
図２に示したように、情報処理装置１００は、コントローラ通信部１０２、操作検出部１０４、サーバ通信部１０６、カテゴリ判別部１０８、表示制御部１１０および表示部１１２を備える。
【００２２】
コントローラ通信部１０２は、ユーザに操作されるリモートコントローラ２００と通信を行う。具体的には、コントローラ通信部１０２は、リモートコントローラ２００から送信される情報処理装置１００に対する操作情報を受信する。例えば、コントローラ通信部１０２は、赤外線、Ｂｌｕｅｔｏｏｔｈ（登録商標）またはＷｉＦｉ（登録商標）等の近距離無線通信を利用してリモートコントローラ２００と通信を行い得る。なお、リモートコントローラ２００は、タッチパッド式またはボタン式のリモートコントローラであり得る。
【００２３】
操作検出部１０４は、情報処理装置１００に対する操作内容の検出を行う。具体的には
、操作検出部１０４は、コントローラ通信部１０２により受信された情報処理装置１００に対する操作情報に基づいて、操作内容の検出を行う。
【００２４】
サーバ通信部１０６は、コンテンツを配信するコンテンツサーバ３００と通信を行う。具体的には、サーバ通信部１０６は、コンテンツサーバ３００から表示対象のコンテンツおよびコンテンツ情報を、通信を介して取得する。コンテンツ情報には、コンテンツの概要等を示すテキスト情報、コンテンツの属するカテゴリ情報およびサムネイル等が含まれ得る。なお、コンテンツサーバ３００は、サーバ通信部１０６からの取得要求に係るコンテンツを配信する。
【００２５】
カテゴリ判別部１０８は、サーバ通信部１０６により取得されたコンテンツの属するカテゴリの判別を行う。具体的には、カテゴリ判別部１０８は、サーバ通信部１０６によりコンテンツとともに取得されたコンテンツ情報に含まれるカテゴリを参照し、コンテンツの属するカテゴリの判別を行う。例えば、カテゴリは、現在放送中、お気に入り、地上デジタルテレビ放送、またはインターネットの動画配信等であり得る。
【００２６】
表示制御部１１０は、ユーザ操作に応じて、コンテンツおよび再生可能なコンテンツに係るサムネイルを表示部１１２に表示させる。具体的には、表示制御部１１０は、操作検出部１０４によりコンテンツ表示操作が検出された場合、表示部１１２の表示画面の全体を表示領域としてコンテンツを表示させる。また、表示制御部１１０は、操作検出部１０４によりサムネイルの表示操作が検出された場合、１のカテゴリに属するコンテンツのサムネイルを、表示されているコンテンツに重畳表示させる。さらに、表示制御部１１０は、操作検出部１０４によりカテゴリ切り替え操作が検出された場合、表示されているサムネイルをサムネイルの並びの方向に対して垂直方向に移動させて、表示させるサムネイルを、切り替え先のカテゴリに属するコンテンツのサムネイルに変更する。上記のサムネイルの表示処理について、図３を参照して詳細に説明する。図３は、本実施形態に係る情報処理装置１００のサムネイル表示処理の例を説明するためのイメージ図である。
【００２７】
（サムネイルの表示処理）
まず、表示制御部１１０は、ユーザによりサムネイル表示操作が行われると、初期表示に設定されている１のカテゴリに属するコンテンツのサムネイルを取得する。例えば、図３に示したように、操作検出部１０４によりサムネイル表示操作が検出されると、カテゴリ判別部１０８は、コンテンツ情報に含まれるカテゴリ情報を参照してカテゴリの判別を行い、カテゴリ「Ｃａｔｅｇｏｒｙ１」に属するコンテンツを特定する。そして、表示制御部１１０は、特定されたコンテンツのサムネイル１Ａ〜１Ｄをコンテンツ情報から取得する。
【００２８】
次に、表示制御部１１０は、カテゴリ名および取得されたサムネイルを表示部１１２に表示させる。例えば、図３に示したように、表示制御部１１０は、カテゴリ名「Ｃａｔｅｇｏｒｙ１」と、取得された、カテゴリ「Ｃａｔｅｇｏｒｙ１」に属するコンテンツのサムネイル１Ａ〜１Ｄとを表示部１１２に表示させ得る。
【００２９】
次に、表示制御部１１０は、ユーザによりカテゴリ切り替え操作が行われると、切り替え先のカテゴリに属するコンテンツのサムネイルを取得する。例えば、操作検出部１０４によりカテゴリを、図３に示す次のカテゴリ「Ｃａｔｅｇｏｒｙ２」に切り替える操作が検出されると、カテゴリ判別部１０８は、カテゴリ情報を参照してカテゴリの判別を行い、カテゴリ「Ｃａｔｅｇｏｒｙ２」に属するコンテンツを特定する。そして、表示制御部１１０は、特定されたコンテンツのサムネイル２Ａ〜２Ｃをコンテンツ情報から取得する。
【００３０】
次に、表示制御部１１０は、表示させるカテゴリ名およびサムネイルを、切り替え先のカテゴリ名、および取得された、切り替え先のカテゴリに属するコンテンツのサムネイルに変更する。例えば、表示制御部１１０は、図３に示すカテゴリ「Ｃａｔｅｇｏｒｙ１」に属するコンテンツのサムネイル１Ａ〜１Ｄを画面中央に向かって移動させて表示画面上から消し、取得された、図３のカテゴリ「Ｃａｔｅｇｏｒｙ１」の下に示すカテゴリ「Ｃａｔｅｇｏｒｙ２」に属するコンテンツのサムネイル２Ａ〜２Ｃを表示部１１２に表示させ得る。
【００３１】
なお、サムネイル表示操作およびカテゴリ切り替え操作は、タッチパッド式のリモートコントローラ２００におけるフリック操作、またはボタン式のリモートコントローラ２００におけるカテゴリ切り替えボタンの押下等であり得る。例えば、図３に示したようにサムネイルが表示される場合、表示制御部１１０は、タッチパッド式のリモートコントローラ２００における上フリック操作によりカテゴリ「Ｃａｔｅｇｏｒｙ１」に属するコンテンツに係るサムネイル１Ａ〜１Ｄを表示させ、さらに上フリック操作が行われると、カテゴリをカテゴリ「Ｃａｔｅｇｏｒｙ２」に切り替え、サムネイル２Ａ〜２Ｃを表示させる。また、表示制御部１１０は、サムネイル２Ａ〜２Ｃが表示された状態での下フリック操作が行われると、カテゴリを、１つ前のカテゴリ「Ｃａｔｅｇｏｒｙ１」に切り替える。なお、初期表示として設定されているサムネイルが表示されている状態で、サムネイル表示操作が行われた場合、表示制御部１１０は、サムネイルの表示を終了させる。例えば、図３に示したようにサムネイルが表示される場合、カテゴリ「Ｃａｔｅｇｏｒｙ１」に属するコンテンツに係るサムネイル１Ａ〜１Ｄが表示されている状態で、下フリック操作が行われると、表示制御部１１０は、サムネイルの表示を終了させる。
【００３２】
（サムネイルの表示領域）
また、表示制御部１１０は、表示画面のうちの狭い領域にサムネイルを表示させる。具体的には、表示制御部１１０は、表示画面の中央から離れて位置する領域であって、表示画面に表示されるコンテンツの表示領域よりも小さい領域において、表示画面の一辺に沿った一方向に、サムネイルを表示させる。例えば、図１に示したように、表示制御部１１０は、表示画面の中央よりも下に位置する領域であって、表示画面に表示されているコンテンツ表示領域よりも小さい領域において、表示画面の下辺に沿った水平方向にサムネイルＡ〜Ｅを表示させ得る。このため、再生中のコンテンツの表示を妨げることなく、サムネイルを表示させることが可能となる。
【００３３】
（サムネイルのフォーカス表示）
また、表示制御部１１０は、選択されているサムネイルを明示する表示を行う。具体的には、表示制御部１１０は、ユーザ操作に応じて表示画面を移動する操作オブジェクトの表示位置が他のサムネイルよりも近いサムネイルにフォーカスを当てる。例えば、サムネイルに対するフォーカス表示について、図４を参照して説明する。図４は、本実施形態に係る情報処理装置１００のサムネイルに対するフォーカス表示を示す図である。
【００３４】
表示制御部１１０は、操作オブジェクト、例えば、カーソルの表示位置が他のサムネイルよりも近いサムネイルにフォーカス２０を当てる。例えば、図４の左図に示したように、表示制御部１１０は、表示されているサムネイル１Ａ〜１Ｄのうちのカーソル１０の表示位置が他のサムネイルよりも近いサムネイル１Ｃにフォーカス２０を当て得る。また、図４の右図に示したように、表示制御部１１０は、カーソル１０の表示位置が変更され、他のサムネイルよりも近いサムネイルがサムネイル１Ｂに変化した場合、サムネイル１Ｂにフォーカス２０を当てる。このため、ユーザはフォーカス２０を当てるサムネイルをカーソル１０の表示位置を確認しながら選択することができ、操作性を向上させることが可能となる。なお、図４では、フォーカス２０は、サムネイルの枠を他のサムネイルよりも太く表示することで表現されているが、これに限定されず、フォーカス２０は、サムネイルの枠の輝度を他のサムネイルより高くしたり、サムネイルの枠の色彩を他のサムネイルと異なる色彩としたりすることで表現され得る。
【００３５】
また、上記では、フォーカス２０の表示は、カーソル１０の表示位置に基づいて行われる例を説明したが、フォーカス２０の表示は、操作検出部１０４により検出される操作体の移動量に基づいて変更されてもよい。具体的には、表示制御部１１０は、操作検出部１０４により検出される操作体の移動量が所定の量を上回る場合、フォーカス２０が当てられているサムネイルの操作体の移動方向に隣接するサムネイルにフォーカス２０を当てる。例えば、タッチパッド式のリモートコントローラ２００における操作面に接触された指の移動量が所定の量を上回る場合、表示制御部１１０は、フォーカス２０が当てられているサムネイルの、指の移動方向に隣接するサムネイルにフォーカス２０を移動させる。このため、カーソル１０等の操作オブジェクトを表示させることなく、フォーカス２０を当てるサムネイルを変更することが可能となる。また、フォーカス２０の表示は、リモートコントローラ２００のボタン押下により変更されてもよい。
【００３６】
（サムネイルのスクロール）
また、表示制御部１１０は、ユーザ操作に応じて、サムネイルのスクロールを行う。具体的には、表示制御部１１０は、ユーザ操作に応じて表示画面を移動する操作オブジェクト、例えば、カーソル１０を表示させ、当該カーソル１０をスクロール方向の表示画面の端の領域に位置させる操作が行われると、表示されているサムネイルに係るカテゴリのサムネイルをスクロールさせる。例えば、サムネイルのスクロール処理について、図５を参照して説明する。図５は、本実施形態に係る情報処理装置１００のサムネイルのスクロールを示す図である。
【００３７】
まず、表示制御部１１０は、カーソル１０の表示位置が、表示画面の端の領域に位置するかの判定を行う。例えば、図５の左図に示したように、表示制御部１１０は、表示画面の長辺方向の端の領域であって、表示画面の端から表示画面の長辺方向の長さの１０％の位置（図５の左図における想像線の位置）までの領域を所定の領域とし、カーソル１０の表示位置が当該所定の領域内にあるかの判定を行い得る。
【００３８】
次に、カーソル１０の表示位置が、表示画面の端の領域に位置すると判定された場合、表示制御部１１０は、サムネイルのスクロールを行う。例えば、図５の右図に示したように、カーソル１０の表示位置が上述の所定の領域内に位置すると判定された場合、表示制御部１１０は、表示されているサムネイル１Ａ〜１Ｄを、カーソル１０の表示位置の近い表示画面の端と反対の表示画面の端に向かって水平方向に移動させる。そして、表示制御部１１０は、サムネイル１Ａ〜１Ｄの移動とともに、サムネイル１Ｄに隣接するサムネイル１Ｅを移動させながら表示させる。
【００３９】
このように、表示制御部１１０は、カーソル１０をスクロール方向の表示画面の端の領域に位置させる操作が行われると、サムネイルをスクロールさせる。このため、ユーザは直観的にサムネイルをスクロールさせることが可能となる。なお、上記では、スクロールは、カーソル１０の表示位置が表示画面の端の領域にある場合に行われる例を説明したが、スクロールは、タッチパッド式リモートコントローラ２００によるドラッグ操作により行われてもよい。例えば、ユーザがタッチパッド式リモートコントローラ２００のタッチパッドに対し２本指でドラッグ操作を行うと、操作検出部１０４により当該操作が検出され、表示制御部１１０は、スクロール処理を実行する。
【００４０】
さらに、表示制御部１１０は、操作オブジェクトの位置がスクロール方向の表示画面の端の領域のうちの表示画面の端の近い位置であるほど、サムネイルの移動速度を速くする。例えば、図５の左図に示すカーソル１０の表示位置が、表示画面の端から表示画面の長
辺方向の長さの１０％の位置よりも表示画面の端に近い位置であるほど、表示制御部１１０は、サムネイルの移動速度を速くする。このため、カーソル１０の表示位置によりスクロール速度が変更されることにより、ユーザは直観的にスクロール速度を調節することが可能となる。
【００４１】
（サムネイルの選択処理）
また、表示制御部１１０は、サムネイルの選択操作が行われると、サムネイル表示を終了させ、再生中のコンテンツの表示を、選択操作が行われたサムネイルに係るコンテンツに切り替える。具体的には、操作検出部１０４によりサムネイルの選択操作が検出されると、表示制御部１１０は、サムネイルの表示を終了させ、選択操作が行われたサムネイルに係るコンテンツを取得し、取得されたコンテンツを表示させる。例えば、サムネイルを選択する操作は、タッチパッドの押し込み操作またはタッチパッドに対するタップ操作であり得る。また、サムネイルは、画面中央から離れる方向に移動されて消され得る。
【００４２】
ここで図２を参照して情報処理装置１００の構成の説明に戻ると、表示部１１２は、表示制御部１１０の制御に従って、コンテンツおよびコンテンツに係るサムネイルの表示を行う。
【００４３】
［２−２．本実施形態における情報処理装置の処理］
次に、本実施形態における情報処理装置１００の処理について図６を参照して説明する。図６は、本実施形態における情報処理装置１００の処理を概念的に示すフローチャートである。なお、上述の情報処理装置１００の構成の説明と重複する説明は省略する。
【００４４】
まず、表示制御部１１０は、上フリック操作または表示ボタン押下が行われるまで待機する（ステップＳ４０２）。具体的には、操作検出部１０４が、コントローラ通信部１０２により受信された操作情報に基づいて、上フリック操作または表示ボタン押下が行われたことを検出するまでの間、表示制御部１１０は待機する。
【００４５】
ステップＳ４０２にて、上フリック操作または表示ボタン押下が行われた場合、表示制御部１１０は、サムネイルを表示させる（ステップＳ４０４）。具体的には、操作検出部１０４により上フリック操作または表示ボタン押下が検出されると、表示制御部１１０は、初期表示に設定されているカテゴリに係るサムネイルを表示部１１２に表示させる。
【００４６】
次に、表示制御部１１０は、戻るボタンが押下されたかの判定を行う（ステップＳ４０６）。具体的には、操作検出部１０４により、戻るボタンの押下が検出されると、表示制御部１１０は、戻るボタンが押下されたと判定する。
【００４７】
ステップＳ４０６にて、戻るボタンが押下されたと判定された場合、表示制御部１１０はサムネイルを消す（ステップＳ４０８）。具体的には、表示制御部１１０は、表示させているサムネイルを表示画面上から消し、サムネイルの表示処理を終了させる。
【００４８】
ステップＳ４０６にて、戻るボタンが押下されていないと判定された場合、表示制御部１１０は、下フリック操作が行われたかの判定を行う（ステップＳ４１０）。具体的には、操作検出部１０４により、下フリック操作が検出されると、表示制御部１１０は、下フリック操作が行われたと判定する。
【００４９】
ステップＳ４１０にて、下フリック操作が行われたと判定された場合、表示制御部１１０は、一番上のカテゴリであるかの判定を行う（ステップＳ４１２）。具体的には、表示制御部１１０は、表示されているサムネイルに係るカテゴリが初期表示に設定されているカテゴリであるかの判定を行う。なお、ステップＳ４１２にて、一番上のカテゴリである
と判定された場合、ステップＳ４０８に処理が進められる。
【００５０】
ステップＳ４１０にて、下フリック操作が行われていないと判定された場合、表示制御部１１０は、上フリック操作が行われたかの判定を行う（ステップＳ４１４）。具体的には、上フリック操作が検出されると、表示制御部１１０は、上フリック操作が行われたと判定する。
【００５１】
ステップＳ４１４にて、上フリック操作が行われたと判定された場合、またはステップＳ４１２にて、一番上のカテゴリでないと判定された場合、表示制御部１１０は、カテゴリを切り替える（ステップＳ４１６）。具体的には、表示制御部１１０は、表示されているサムネイルを、切り替え先のカテゴリに係るサムネイルに変更する。
【００５２】
ステップＳ４１４にて、上フリック操作が行われていないと判定された場合、表示制御部１１０は、左ドラッグ操作または右ドラッグ操作が行われたかの判定を行う（ステップＳ４１８）。具体的には、操作検出部１０４により、左または右にドラッグ操作が検出されると、表示制御部１１０は、左または右にドラッグ操作が行われたと判定する。
【００５３】
ステップＳ４１８にて、  左ドラッグ操作または右ドラッグ操作が行われたと判定された場合、表示制御部１１０は、カーソル１０が画面の端の所定の領域に位置するかの判定を行う（ステップＳ４２０）。例えば、表示制御部１１０は、カーソル１０の表示位置が、情報処理装置１００に別途備えられる記憶部（図示せず。）に予め記憶される表示画面の位置よりも表示画面の端に位置するかの判定を行い得る。
【００５４】
ステップＳ４２０にて、カーソル１０が画面の端の所定の領域に位置すると判定された場合、表示制御部１１０は、サムネイルをスクロールさせる（ステップＳ４２２）。具体的には、表示制御部１１０は、表示されているサムネイルに係るカテゴリのサムネイルのスクロールを行う。
【００５５】
ステップＳ４２０にて、カーソル１０が画面の端の所定の領域に位置しないと判定された場合、表示制御部１１０は、カーソル１０の表示位置が他のサムネイルに移動したかの判定を行う（ステップＳ４２４）。具体的には、表示制御部１１０は、他のサムネイルよりもカーソルの表示位置が近いサムネイルが、フォーカス２０が当てられているサムネイルと異なるかの判定を行う。
【００５６】
ステップＳ４２４にて、カーソル１０の表示位置が他のサムネイルに移動したと判定された場合、表示制御部１１０は、フォーカス２０を移動させる（ステップＳ４２６）。具体的には、表示制御部１１０は、フォーカス２０を当てるサムネイルを、カーソル１０の表示位置が他のサムネイルよりも近いサムネイルに変更する。
【００５７】
なお、ステップＳ４１６、ステップＳ４２２およびステップＳ４２６の処理後、またはステップＳ４１８にて、左または右にドラッグ操作が行われていないと判定された場合、またはステップＳ４２４にて、カーソル１０の表示位置が他のサムネイルに移動したと判定されない場合、ステップＳ４０６に処理が戻される。
【００５８】
このように、本開示の一実施形態によれば、コンテンツを表示させながら、１のカテゴリに属するコンテンツに係るサムネイルを表示し、表示されるサムネイルに係るコンテンツの属する１のカテゴリを切り替える操作に応じて、表示されているサムネイルを移動させる。このため、ユーザの利便性を損なうことなく、ユーザはカテゴリ別にコンテンツに係るサムネイルを確認することができ、効率の良いコンテンツ検索が可能となる。また、サムネイルが移動されてカテゴリが切り替えられることにより、ユーザに操作に対する心地よさを与えることが可能となる。
【００５９】
［２−３．本実施形態における変形例］
以上、本開示の第１の実施形態について説明した。なお、本実施形態は、上述の例に限定されない。以下に、本実施形態の第１〜第７の変形例について説明する。
【００６０】
（第１の変形例）
本実施形態の第１の変形例として、表示制御部１１０は、サムネイルを、当該サムネイルに係るコンテンツの属するグループがユーザに認識されるように表示させてもよい。具体的には、表示制御部１１０は、グループを示すオブジェクトを、当該グループに属するコンテンツに係るサムネイルの周辺に表示させる。例えば、グループ表示処理について、図７を参照して説明する。図７は、本実施形態の第１の変形例に係る情報処理装置１００のグループ表示を示す図である。
【００６１】
まず、表示制御部１１０は、ユーザによりサムネイル表示操作が行われ、サムネイルの取得が行われた後、取得されたサムネイルのグループの判別を行う。例えば、カテゴリ判別部１０８は、カテゴリ情報を参照してカテゴリの判別を行い、図７に示すカテゴリ「Ｃａｔｅｇｏｒｙ１」に属するコンテンツを特定する。そして、表示制御部１１０は、特定されたコンテンツの属するグループの判別を、コンテンツ情報に含まれるグループ情報に基づいて行う。なお、グループ情報には、グループ名等が含まれる。
【００６２】
次に、表示制御部１１０は、サムネイルおよびサムネイルの属するグループ名をグループ情報から取得し、取得されたグループ名を表示部１１２に表示させる。例えば、図７に示したように、表示制御部１１０は、グループ「ＮＥＷ」に属するコンテンツに係るサムネイル１Ａおよび１Ｂをひとまとまりに表示し、サムネイル１Ａおよび１Ｂの上部にグループ名「ＮＥＷ」を表示させ得る。また、表示制御部１１０は、グループ「Ｒｅｃｏｍｍｅｎｄ」に属するコンテンツに係るサムネイル１Ｃおよび１Ｄをひとまとまりに表示し、サムネイル１Ｃおよび１Ｄの上部にグループ名「Ｒｅｃｏｍｍｅｎｄ」を表示させ得る。なお、グループを示すオブジェクトは、例えば、画像等であってもよい。
【００６３】
このように、本実施形態の第１の変形例によれば、表示制御部１１０は、サムネイルを、当該サムネイルに係るコンテンツの属するグループがユーザに認識されるように表示させる。このため、ユーザは同一カテゴリ内のコンテンツの属するグループを視覚的に把握することができ、効率の良いコンテンツ検索が可能となる。
【００６４】
さらに、表示制御部１１０は、グループ名を、当該グループに属するコンテンツに係るサムネイルの周辺に表示させる。このため、ユーザはグループの内容を把握することができ、コンテンツ検索の効率をさらに向上させることが可能となる。
【００６５】
なお、上記のグループ情報は、コンテンツサーバ３００にて生成され得る。例えば、情報処理装置１００は、視聴されたコンテンツに係る視聴情報を記録しておき、当該視聴情報をコンテンツサーバ３００に送信し、コンテンツサーバ３００は受信した当該視聴情報に基づいてグループ情報を生成し得る。
【００６６】
具体的には、表示制御部１１０は、コンテンツの視聴情報を、情報処理装置１００の別途備える記憶部等に記憶させ、サーバ通信部１０６は、当該視聴情報をコンテンツサーバ３００に送信する。視聴情報には、例えば、現在視聴されているコンテンツのコンテンツ情報またはコンテンツの視聴履歴等が含まれ得る。
【００６７】
そして、コンテンツサーバ３００は、受信した視聴情報の解析を行い、コンテンツのグループ情報を生成する。例えば、コンテンツサーバ３００は、複数の視聴情報の解析を行った結果、その時点で視聴者が多いと判断されるコンテンツに対して、グループ情報に視聴者が多い旨を示す情報、例えば、グループ名「Ｍｏｓｔ    Ｖｉｅｗｅｄ」等を追加し得る。また、コンテンツサーバ３００は、視聴履歴から視聴者の嗜好に合うと判断されるコンテンツに対して、グループ情報に推奨を示す情報、例えば、グループ名「Ｒｅｃｏｍｍｅｎｄ」等を追加し得る。
【００６８】
また、上記のグループ情報は、コンテンツに対するユーザの登録操作によって生成され得る。例えば、情報処理装置１００は、別途登録部（図示せず。）を備え、コンテンツに対してユーザの登録操作が行われると、登録部は、登録操作が行われたコンテンツのコンテンツ情報にグループ情報として、例えば、グループ名「Ｆａｖｏｒｉｔｅ」を登録し得る。
【００６９】
また、上記では、表示制御部１１０は、グループを示すオブジェクト、例えば、グループ名を表示させる例を説明したが、表示制御部１１０は、オブジェクトを表示させず、同一のグループに係るサムネイル間の距離よりも、他のグループに係るサムネイル間の距離を大きくしてもよい。例えば、図７に示したように、表示制御部１１０は、同一のグループに係るサムネイル１Ａとサムネイル１Ｂとの間の距離よりも、他のグループに係るサムネイル１Ｂとサムネイル１Ｃとの間の距離を大きくし得る。この場合、グループ名等のオブジェクトを表示させずに済むため、再生中のコンテンツの視認性を向上させることが可能となる。
【００７０】
（第２の変形例）
本実施形態の第２の変形例として、上記の第１の変形例に加えて、表示制御部１１０は、操作検出部１０４によりサムネイルに対する選択操作が検出されると、選択操作が行われたサムネイルに係るコンテンツの属するグループを示すオブジェクトの表示を強調させてもよい。具体的には、表示制御部１１０は、操作検出部１０４によりカーソル１０の移動が検出されると、カーソル１０の表示位置が他のサムネイルよりも近いサムネイルを特定し、当該サムネイルに係るグループを示すグループ名の表示を強調させる。例えば、グループ名の強調表示について、図８を参照して説明する。図８は、本実施形態の第２の変形例に係る情報処理装置１００のグループ名の強調表示を示す図である。
【００７１】
まず、表示制御部１１０は、サムネイルおよびサムネイルに係るグループを示すオブジェクトの表示を行う。例えば、図８に示したように、表示制御部１１０は、グループ「ＮＥＷ」に係るサムネイル１Ａおよび１Ｂ、ならびにグループ「Ｒｅｃｏｍｍｅｎｄ」に係るサムネイル１Ｃおよび１Ｄを表示させる。
【００７２】
次に、表示制御部１１０は、操作検出部１０４によりカーソル１０の移動が検出された場合、カーソル１０の表示位置が他のサムネイルよりも近いサムネイルを特定し、特定されたサムネイルに係るグループを示すオブジェクトの表示を強調させる。例えば、表示制御部１１０は、操作検出部１０４によりカーソル１０の移動が検出された場合、図８に示したように、カーソル１０の表示位置が他のサムネイルよりも近いサムネイル１Ａに係るグループのグループ名「ＮＥＷ」の表示位置を所定の量だけ垂直方向に移動させる。このように、グループ名の表示位置が所定の量だけ垂直方向に移動されることにより、カーソル１０とグループ名が重なることを防止することが可能となる。なお、上記では、表示制御部１１０は、グループ名を所定の量だけ垂直方向に移動させる例を説明したが、表示制御部１１０は、グループ名の字体、大きさ、色彩、模様または輝度等を変更させてもよい。
【００７３】
このように、本実施形態の第２の変形例によれば、表示制御部１１０は、操作検出部１０４によりサムネイルに対する選択操作が検出されると、選択操作が行われたサムネイル
に係るコンテンツの属するグループを示すオブジェクトの表示を強調させる。このため、ユーザは選択中のサムネイルに係るグループを視覚的に認識しやすくなり、コンテンツ検索の効率をさらに向上にさせることが可能となる。
【００７４】
（第３の変形例）
本実施形態の第３の変形例として、表示制御部１１０は、操作検出部１０４により検出されるユーザ操作に応じてサムネイルを移動させる際、先に移動されるサムネイルに対して後続のサムネイルを遅らせて移動させてもよい。具体的には、表示制御部１１０は、カテゴリの切り替えの際、サムネイルの表示される方向に対して垂直方向に、表示されているサムネイルを動かした後、次に表示させるカテゴリに属するコンテンツに係るサムネイルを、サムネイルの表示される方向に対して垂直方向に移動させながら表示させる。例えば、カテゴリ切り替え時におけるサムネイルの表示の変化について、図９を参照して説明する。図９は、本実施形態の第３の変形例に係る情報処理装置１００のカテゴリ切り替え時におけるサムネイルの表示の変化の例を示す図である。
【００７５】
まず、表示制御部１１０は、操作検出部１０４によりサムネイル表示操作が検出されると、初期表示に設定されるカテゴリのカテゴリ名を表示させ、当該カテゴリに係るサムネイルを一方向に並べて表示させる。例えば、図９の上段の左図に示したように、表示制御部１１０は、初期表示に設定されているカテゴリのカテゴリ名「Ｃａｔｅｇｏｒｙ１」を表示させ、カテゴリ名の下に、当該カテゴリに係るサムネイル１Ａ〜１Ｄを水平方向に並べて表示させ得る。
【００７６】
次に、表示制御部１１０は、操作検出部１０４によりカテゴリ切り替え操作が検出されると、表示されているカテゴリ名およびサムネイルを、サムネイルの表示される方向に対して垂直方向に移動させながら、当該カテゴリ名およびサムネイルを消す。例えば、図９の上段の中図に示したように、表示制御部１１０は、操作検出部１０４によりカテゴリ切り替え操作が検出されると、表示されているカテゴリ名「Ｃａｔｅｇｏｒｙ１」およびサムネイル１Ａ〜１Ｄを画面中央に向かう方向に移動させながら消す。そして、図９の上段の右図に示したように、カテゴリ名「Ｃａｔｅｇｏｒｙ１」およびサムネイル１Ａ〜１Ｄは、表示画面上から消える。なお、表示制御部１１０は、カテゴリ名およびサムネイルの移動速度を移動開始から終了までの間に徐々に遅くさせ得る。この場合、カテゴリ名およびサムネイルが余韻を残すようにして消されることにより、ユーザに与える操作に対する心地よさを向上させることが可能となる。
【００７７】
次に、表示制御部１１０は、切り替え先のカテゴリに係るカテゴリ名およびサムネイルを、切り替え前のカテゴリに係るサムネイルの移動方向と同じ方向に移動させながら表示させる。例えば、図９の下段の左図に示したように、表示制御部１１０は、切り替え前のカテゴリ「Ｃａｔｅｇｏｒｙ１」に係るサムネイル１Ａ〜１Ｄが消された後、切り替え先のカテゴリに係るカテゴリ名「Ｃａｔｅｇｏｒｙ２」およびサムネイル２Ａ〜２Ｃを、画面中央に向かう方向に移動させながら表示させる。なお、カテゴリ名は、表示開始時には、移動終了時に表示される大きさよりも小さく表示され、移動距離に応じて徐々に大きく表示され得る。そして、図９の下段の右図に示したように、表示制御部１１０は、カテゴリ名「Ｃａｔｅｇｏｒｙ２」およびサムネイル２Ａ〜２Ｃを、切り替え前のカテゴリに係るカテゴリ名およびサムネイルが表示されていた位置まで移動させて処理を終了する。
【００７８】
このように、本実施形態の第３の変形例によれば、表示制御部１１０は、操作検出部１０４により検出されるユーザ操作に応じてサムネイルを移動させる際、先に移動されるサムネイルに対して移動時間を遅らせて後続のサムネイルを移動させる。このため、サムネイルがユーザ操作により移動されたことを印象付けることにより、操作性を向上させることが可能となる。
【００７９】
さらに、表示制御部１１０は、カテゴリの切り替えの際、サムネイルの表示される方向に対して垂直方向に、表示されているサムネイルを動かした後、次に表示させるカテゴリに属するコンテンツに係るサムネイルを、サムネイルの表示される方向に対して垂直方向に移動させながら表示させる。このため、切り替え先のカテゴリに係るサムネイル等の表示までに間が開けられることにより、カテゴリ切り替え前に表示されるサムネイルとカテゴリ切り替え後に表示されるサムネイルとが異なるカテゴリに係るサムネイルであることをユーザに暗示することが可能となる。
【００８０】
（第４の変形例）
本実施形態の第４の変形例として、表示制御部１１０は、操作検出部１０４によりスクロール操作が検出されると、スクロール方向にあるサムネイルを、スクロール方向に対して反対方向にあるサムネイルよりも遅らせて、サムネイルをスクロール方向に対して反対方向に移動させてもよい。例えば、スクロール時のサムネイルの表示の変化について、図１０を参照して説明する。図１０は、本実施形態の第４の変形例に係る情報処理装置１００のスクロール時のサムネイルの表示の変化の例を示す図である。
【００８１】
まず、表示制御部１１０は、操作検出部１０４によりカーソル１０の移動が検出されると、カーソル１０の表示位置が表示画面の端の領域に位置するかの判定を行う。例えば、操作検出部１０４によりカーソル１０の移動が検出されると、表示制御部１１０は、図１０の上段の左図に示すカーソル１０の表示位置を取得し、当該カーソル１０の表示位置が表示画面の端から表示画面の長辺方向の長さの１０％の位置よりも表示画面の端にあるかの判定を行う。
【００８２】
カーソル１０の表示位置が表示画面の端の領域に位置すると判定された場合、表示制御部１１０は、サムネイルを、スクロール方向に対して遠い位置に表示されているサムネイルほど移動開始時の速度を遅くして、スクロール方向に対して反対方向に移動させる。例えば、表示制御部１１０は、カーソル１０の表示位置が表示画面に向かって右の端の領域に位置すると判定し、図１０の上段の中図に示したように、サムネイル１Ａ〜１Ｄの順に移動速度が遅くなるようにして、サムネイル１Ａ〜１Ｄを移動させ得る。
【００８３】
次に、表示制御部１１０は、サムネイルの移動を開始させた後、他のサムネイルよりもスクロール方向の表示画面の端に近いサムネイルの並び順の次のサムネイルをスクロール方向に対して反対方向に移動させながら表示させる。例えば、図１０の上段の右図に示したように、表示制御部１１０は、他のサムネイルよりもスクロール方向の表示画面の端に近いサムネイル１Ｄの移動を開始させた後、サムネイル１Ｄの次のサムネイル１Ｅをスクロール方向に対して反対方向に移動させながら表示させ得る。
【００８４】
次に、表示制御部１１０は、操作検出部１０４によりカーソル１０の移動が検出されると、カーソル１０の表示位置が表示画面の端の領域に位置するかの判定を行う。例えば、操作検出部１０４によりカーソル１０の移動が検出されると、表示制御部１１０は、図１０の下段の左図に示すカーソル１０の表示位置を取得し、当該カーソル１０の表示位置が表示画面の端から表示画面の長辺方向の長さの１０％の位置よりも表示画面の端にあるかの判定を行う。
【００８５】
カーソル１０の表示位置が表示画面の端の領域に位置しないと判定された場合、表示制御部１１０は、スクロール方向に対して反対方向にあるサムネイルの順にサムネイルを停止させる。例えば、表示制御部１１０は、カーソル１０の表示位置が表示画面に向かって右の端の領域に位置しないと判定し、図１０の下段の中図に示したように、サムネイル１Ｃ〜１Ｆの順に停止位置まで移動したサムネイルを停止させ得る。そして、図１０の下段
の左図に示したように、表示制御部１１０は、全てのサムネイルの移動を停止させ、スクロールを終了し得る。
【００８６】
このように、本実施形態の第４の変形例によれば、表示制御部１１０は、操作検出部１０４によりスクロール操作が検出されると、スクロール方向にあるサムネイルを、スクロール方向に対して反対方向にあるサムネイルよりも遅らせて、サムネイルをスクロール方向に対して反対方向に移動させる。このため、サムネイルが他のサムネイルにつられて移動または停止されるように表示させることにより、スクロール表示に躍動感が与えられ、ユーザに操作に対する心地よさを与えることが可能となる。
【００８７】
なお、表示制御部１１０は、サムネイルの表示位置によってサムネイルの移動開始時の速度を変える例を説明したが、表示制御部１１０は、サムネイルの表示位置によってサムネイルの移動開始時間を変えてもよい。例えば、図１０の上段の左図において、表示制御部１１０は、サムネイル１Ａ〜１Ｄの順に移動開始時間を遅らせて、サムネイルを移動させ得る。この場合、サムネイルの移動の遅れがより明確にされることにより、当該アニメーションをユーザに認識されやすくすることが可能である。
【００８８】
（第５の変形例）
本実施形態の第５の変形例として、表示制御部１１０は、サムネイルの初期表示の際、サムネイルの移動をオーバーシュートさせて表示させてもよい。具体的には、表示制御部１１０は、サムネイルの初期表示の際、画面中央に向かう方向にサムネイルを移動させながら表示させた後、画面中央に向かう方向への移動量よりも少ない移動量で画面中央から離れる方向にサムネイルを移動させる。例えば、サムネイルの初期表示時の表示の変化について、図１１を参照して説明する。図１１は、本実施形態の第５の変形例に係る情報処理装置１００のサムネイルの初期表示時の表示の変化の例を示す図である。
【００８９】
まず、表示制御部１１０は、操作検出部１０４によりサムネイル表示操作が検出されると、サムネイルの表示および移動を開始する。例えば、図１１の左図に示したように、操作検出部１０４によりサムネイル表示操作が検出されると、表示制御部１１０は、初期表示に設定されているカテゴリ「Ｃａｔｅｇｏｒｙ１」に係るカテゴリ名およびサムネイル１Ａ〜１Ｄを、画面中央に向かう方向に移動させながら表示させる。
【００９０】
次に、表示制御部１１０は、サムネイルの移動を継続させ、サムネイルの移動終了位置よりも所定の量だけ画面中央に向かう方向の位置までサムネイルを移動させる。例えば、図１１の左中図に示したように、表示制御部１１０は、サムネイル１Ａ〜１Ｄの移動を継続させ、サムネイル移動終了位置を通過させて、図１１の右中図に示したように、さらに画面中央に向かう方向に移動させ得る。
【００９１】
次に、表示制御部１１０は、サムネイルを、サムネイルの移動終了位置に向かって移動させ、サムネイルの移動を終了させる。例えば、図１１の左図に示したように、表示制御部１１０は、サムネイル１Ａ〜１Ｄを画面中央に向かう方向と反対方向のサムネイルの移動終了位置に向かって移動させ、サムネイルの移動を終了させ得る。
【００９２】
このように、本実施形態の第５の変形例によれば、表示制御部１１０は、サムネイルの初期表示の際、画面中央に向かう方向にサムネイルを移動させながら表示させた後、画面中央に向かう方向への移動量よりも少ない移動量で画面中央から離れる方向にサムネイルを移動させる。このため、サムネイルが表示画面に飛び出してきたように表示されることにより、ユーザに操作に対する心地よさを与えることが可能となる。
【００９３】
（第６の変形例）
本実施形態の第６の変形例として、上記の第５の変形例に加えて、表示制御部１１０は、サムネイルの移動をオーバーシュートさせた際に、当該サムネイルに係るカテゴリの切り替えにより表示されるサムネイルの一部を表示させてもよい。具体的には、表示制御部１１０は、サムネイルの初期表示の際、画面中央に向かう方向にサムネイルを移動させながら表示させた際に、初期表示後の最初のカテゴリの切り替えにより表示されるカテゴリに属するコンテンツに係るサムネイルの一部を一時的に表示させる。例えば、サムネイルの初期表示時の表示の変化について、図１２を参照して説明する。図１２は、本実施形態の第６の変形例に係る情報処理装置１００のサムネイルの初期表示時の表示の変化の他の例を示す図である。
【００９４】
まず、表示制御部１１０は、操作検出部１０４によりサムネイル表示操作が検出されると、サムネイルの表示および移動を開始する。詳細については、第５の変形例と実質的に同一であるため説明を省略する。
【００９５】
次に、表示制御部１１０は、サムネイルの移動を継続させ、サムネイルの移動終了位置よりも所定の量だけ画面中央に向かう方向の位置までサムネイルを移動させる。ここで、表示制御部１１０は、サムネイルをサムネイルの移動終了位置よりも画面中央に向かう方向に移動させるとともに、当該サムネイルに係るカテゴリの切り替えにより表示されるサムネイルの一部を移動させながら表示させる。例えば、図１２の左中図に示したように、表示制御部１１０は、サムネイル１Ａ〜１Ｄの移動を継続させ、サムネイル移動終了位置を通過させ得る。そして、図１２の右中図に示したように、表示制御部１１０は、さらに画面中央に向かう方向にサムネイル１Ａ〜１Ｄを移動させるとともに、カテゴリ切り替えにより表示されるカテゴリに係るサムネイル２Ａ〜２Ｃの一部を移動させながら表示させ得る。
【００９６】
次に、表示制御部１１０は、サムネイルを、サムネイルの移動終了位置に向かって移動させるとともに、カテゴリの切り替えにより表示されるサムネイルを同じ方向に移動させて表示画面上から消し、サムネイルの移動を終了させる。例えば、図１２の左図に示したように、表示制御部１１０は、サムネイル１Ａ〜１Ｄを、画面中央に向かう方向と反対方向に位置するサムネイルの移動終了位置に向かって移動させるとともに、サムネイル２Ａ〜２Ｄを同じ方向に移動させて表示画面上から消し、サムネイルの移動を終了させ得る。
【００９７】
このように、本実施形態の第６の変形例によれば、表示制御部１１０は、サムネイルの初期表示の際、画面中央に向かう方向にサムネイルを移動させながら表示させた際に、初期表示後の最初のカテゴリの切り替えにより表示されるカテゴリに属するコンテンツに係るサムネイルの一部を一時的に表示させる。このため、切り替えにより表示される、カテゴリに係るサムネイルが存在することをユーザに示すことが可能となる。
【００９８】
（第７の変形例）
本実施形態の第７の変形例として、表示制御部１１０は、カテゴリの一覧を表示させ、表示されているサムネイルを、当該一覧で選択されたカテゴリに係るサムネイルに変更させてもよい。具体的には、表示制御部１１０は、操作検出部１０４によりカテゴリ一覧の表示操作が検出されると、カテゴリ一覧を表示させ、操作検出部１０４によりカテゴリの選択操作が検知されると、選択操作が行われたカテゴリに係るサムネイルを表示させる。例えば、カテゴリ一覧の選択によるサムネイルの表示の変化について、図１３を参照して説明する。図１３は、本実施形態の第７の変形例に係る情報処理装置１００のカテゴリ一覧の選択によるサムネイルの表示の変化の例を示す図である。
【００９９】
まず、表示制御部１１０は、操作検出部１０４によりサムネイル表示操作が検出されると、初期表示に設定されるカテゴリのカテゴリ名を表示させ、当該カテゴリに係るサムネ
イルを一方向に並べて表示させる。例えば、図１３の上段の左図に示したように、表示制御部１１０は、初期表示に設定されているカテゴリのカテゴリ名「Ｃａｔｅｇｏｒｙ１」を表示させ、カテゴリ名の下に、当該カテゴリに係るサムネイル１Ａ〜１Ｄを水平方向に並べて表示させ得る。
【０１００】
次に、表示制御部１１０は、操作検出部１０４によりカテゴリ名の選択操作が検出されると、カテゴリ一覧を表示させる。例えば、図１３の上段の中図に示したように、表示制御部１１０は、操作検出部１０４によりカテゴリ名「Ｃａｔｅｇｏｒｙ１」の選択操作が検出されると、カテゴリ一覧を再生中のコンテンツおよびサムネイルに重畳表示させる。なお、上記では、カテゴリ一覧を表示させる操作は、カテゴリ名の選択操作である例を説明したが、カテゴリ一覧を表示させる操作は、カテゴリ切り替えボタンの押下等の操作であってもよい。また、表示制御部１１０は、カテゴリ名の選択操作がキャンセルされた場合、または後述するカテゴリを選択する操作が所定の時間行われない場合、カテゴリ一覧の重畳表示を終了させてもよい。
【０１０１】
次に、表示制御部１１０は、操作検出部１０４によりカテゴリ一覧からカテゴリを選択する操作が検出されると、カテゴリの切り替えを行う。例えば、操作検出部１０４によりカテゴリ一覧から、図１３の上段の中図に示すカテゴリ「Ｃａｔｅｇｏｒｙ２」の選択操作が検出されると、表示制御部１１０は、カテゴリの切り替え処理を開始する。そして、図１３の上段の右図に示したように、表示制御部１１０は、切り替え前のカテゴリ「Ｃａｔｅｇｏｒｙ１」に係るカテゴリ名およびサムネイル１Ａ〜１Ｄを移動させながら徐々に消し、図１３の下段の左図に示したように、表示画面上からサムネイル１Ａ〜１Ｄを消し得る。その後、図１３の下段の中図および左図に示したように、表示制御部１１０は、切り替え先のカテゴリ「Ｃａｔｅｇｏｒｙ２」に係るカテゴリ名およびサムネイル２Ａ〜２Ｃを移動させながら表示させ得る。
【０１０２】
このように、本実施形態の第７の変形例によれば、表示制御部１１０は、カテゴリの一覧を表示させ、表示されているサムネイルを、カテゴリの一覧で選択されたカテゴリに係るサムネイルに変更させる。このため、ユーザはカテゴリ切り替え操作を行うことなく所望のカテゴリに係るサムネイルを表示させることでき、操作の利便性を向上させることが可能となる。
【０１０３】
＜３．本開示の一実施形態に係る情報処理装置のハードウェア構成＞
以上、本発明の実施形態を説明した。上述した情報処理装置１００の処理は、ソフトウェアと、以下に説明する情報処理装置１００のハードウェアとの協働により実現される。
【０１０４】
図１４は、本開示に係る情報処理装置１００のハードウェア構成を示した説明図である。図１４に示したように、情報処理装置１００は、ＣＰＵ（Ｃｅｎｔｒａｌ    Ｐｒｏｃｅｓｓｉｎｇ    Ｕｎｉｔ）１３２と、ＲＯＭ（Ｒｅａｄ    Ｏｎｌｙ    Ｍｅｍｏｒｙ）１３４と、ＲＡＭ（Ｒａｎｄｏｍ    Ａｃｃｅｓｓ    Ｍｅｍｏｒｙ）１３６と、ブリッジ１３８と、バス１４０と、インターフェース１４２と、入力装置１４４と、出力装置１４６と、ストレージ装置１４８と、ドライブ１５０と、接続ポート１５２と、通信装置１５４とを備える。
【０１０５】
ＣＰＵ１３２は、演算処理装置および制御装置として機能し、各種プログラムと協働して情報処理装置１００内の操作検出部１０４、カテゴリ判別部１０８および表示制御部１１０の動作を実現する。また、ＣＰＵ１３２は、マイクロプロセッサであってもよい。ＲＯＭ１３４は、ＣＰＵ１３２が使用するプログラムまたは演算パラメータ等を記憶する。ＲＡＭ１３６は、ＣＰＵ１３２の実行にいて使用するプログラムまたは実行において適宜変化するパラメータ等を一時記憶する。ＲＯＭ１３４およびＲＡＭ１３６により、情報処
理装置１００内の記憶部の一部を実現する。ＣＰＵ１３２、ＲＯＭ１３４およびＲＡＭ１３６は、ＣＰＵバスなどから構成される内部バスにより相互に接続されている。
【０１０６】
入力装置１４４は、マウス、キーボード、タッチパネル、ボタン、マイクロフォン、スイッチおよびレバーなどユーザが情報を入力するための入力手段、およびユーザによる入力に基づいて入力信号を生成し、ＣＰＵ１３２に出力する入力制御回路などから構成されている。情報処理装置１００のユーザは、入力装置１４４を操作することにより、情報処理装置１００に対して各種のデータを入力したり処理動作を指示したりすることができる。
【０１０７】
出力装置１４６は、情報処理装置１００の表示部１１２の一例として、例えば、液晶ディスプレイ（ＬＣＤ）装置、ＯＬＥＤ（Ｏｒｇａｎｉｃ    Ｌｉｇｈｔ    Ｅｍｉｔｔｉｎｇ    Ｄｉｏｄｅ）装置、ランプなどの装置への出力を行う。さらに、出力装置１４６は、スピーカおよびヘッドフォンなどの音声出力を行ってもよい。
【０１０８】
ストレージ装置１４８は、データ格納用の装置である。ストレージ装置１４８は、記憶媒体、記憶媒体にデータを記録する記録装置、記憶媒体からデータを読み出す読出し装置および記憶媒体に記録されたデータを削除する削除装置等を含んでもよい。ストレージ装置１４８は、ＣＰＵ１３２が実行するプログラムや各種データを格納する。
【０１０９】
ドライブ１５０は、記憶媒体用リーダライタであり、情報処理装置１００に内蔵、あるいは外付けされる。ドライブ１５０は、装着されている磁気ディスク、光ディスク、光磁気ディスク、または半導体メモリ等のリムーバブル記憶媒体に記録されている情報を読み出して、ＲＡＭ１３４に出力する。また、ドライブ１５０は、リムーバブル記憶媒体に情報を書込むこともできる。
【０１１０】
接続ポート１５２は、例えば、情報処理装置１００の外部の情報処理装置または周辺機器と接続するためのバスである。また、接続ポート１５２は、ＵＳＢ（Ｕｎｉｖｅｒｓａｌ    Ｓｅｒｉａｌ    Ｂｕｓ）であってもよい。
【０１１１】
通信装置１５４は、例えば、情報処理装置１００のコントローラ通信部１０２およびサーバ通信部１０６の一例として、ネットワークに接続するための通信デバイスで構成された通信インターフェースである。また、通信装置１５４は、赤外線通信対応装置であっても、無線ＬＡＮ（Ｌｏｃａｌ    Ａｒｅａ    Ｎｅｔｗｏｒｋ）対応通信装置であっても、ＬＴＥ（Ｌｏｎｇ    Ｔｅｒｍ    Ｅｖｏｌｕｔｉｏｎ）対応通信装置であっても、有線による通信を行うワイヤー通信装置であってもよい。
【０１１２】
＜４．むすび＞
本開示の一実施形態によれば、ユーザの利便性を損なうことなく、ユーザはカテゴリ別にコンテンツに係るサムネイルを確認することができ、効率の良いコンテンツ検索が可能となる。また、サムネイルが移動されてカテゴリが切り替えられることにより、ユーザに操作に対する心地よさを与えることが可能となる。
【０１１３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１４】
例えば、上記実施形態では、表示制御部１１０は、１のカテゴリに属するコンテンツに
係るサムネイルを、再生中のコンテンツに重畳表示するとしたが、本技術はかかる例に限定されない。例えば、表示制御部１１０は、再生中のコンテンツの表示領域をサムネイルの表示領域と重ならない大きさに縮小させてもよい。このため、再生中のコンテンツの表示を妨げることなく、サムネイルを表示させることが可能となる。
【０１１５】
また、上記実施形態では、表示制御部１１０は、サムネイルを一方向に一列に並べて表示する例を説明したが、表示制御部１１０は、サムネイルを一列表示の場合よりも縮小させて複数列で並べて表示させてもよい。この場合、再生中のコンテンツの表示を妨げることなく、表示させるサムネイルの数を増加させることにより、コンテンツ検索の効率を向上させることが可能となる。
【０１１６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１７】
なお、以下のような構成も本開示の技術的範囲に属する。
（１）
ユーザ操作の検出を行う操作検出部と、
表示画面の中央を含む部分にコンテンツを表示させ、
前記表示画面の中央から離れて位置する領域において、前記表示画面の一辺に沿った一方向に、１のカテゴリに属するコンテンツに係るサムネイルを表示させる表示制御部と、
を備え、
前記表示制御部は、前記操作検出部により検出される、表示させるサムネイルに係るコンテンツの属する前記１のカテゴリの切り替え操作に応じて、切り替え前の第１のカテゴリに属するコンテンツに係るサムネイルを移動させながら徐々に消し、切り替え先の第２のカテゴリに属するコンテンツに係るサムネイルを移動させながら表示させる、
情報処理装置。
（２）
前記表示制御部は、前記第１のカテゴリに属するコンテンツに係るサムネイルおよび前記第２のカテゴリに属するコンテンツに係るサムネイルを画面中央に向かう方向に移動させる、
前記（１）に記載の情報処理装置。
（３）
前記表示制御部は、前記第１のカテゴリに属するコンテンツに係るサムネイルが表示されなくなった後、前記第２のカテゴリに属するコンテンツに係るサムネイルの表示を開始する、
前記（１）または（２）に記載の情報処理装置。
（４）
前記表示制御部は、前記１のカテゴリに係るカテゴリ名を表示させ、
前記１のカテゴリの切り替え操作に応じて、前記第１のカテゴリに係るカテゴリ名を移動させながら徐々に消し、前記第２のカテゴリに係るカテゴリ名を移動させながら表示させる、
前記（１）〜（３）のいずれか１項に記載の情報処理装置。
（５）
前記表示制御部は、前記サムネイルの移動の方向および速さと同程度の方向および速さで前記カテゴリ名を移動させる、
前記（４）に記載の情報処理装置。
（６）
前記表示制御部は、前記第２のカテゴリに係るカテゴリ名の大きさを前記第２のカテゴリに係るカテゴリ名の移動に応じて変更する、
前記（４）または（５）に記載の情報処理装置。
（７）
ユーザ操作の検出を行うことと、
表示画面の中央を含む部分にコンテンツを表示させ、
前記表示画面の中央から離れて位置する領域において、前記表示画面の一辺に沿った一方向に、１のカテゴリに属するコンテンツに係るサムネイルを表示させることと、
検出される、表示させるサムネイルに係るコンテンツの属する前記１のカテゴリの切り替え操作に応じて、切り替え前の第１のカテゴリに属するコンテンツに係るサムネイルを移動させながら徐々に消し、切り替え先の第２のカテゴリに属するコンテンツに係るサムネイルを移動させながら表示させることと、
を含む情報処理方法。
（８）
ユーザ操作の検出を行う操作検出機能と、
表示画面の中央を含む部分にコンテンツを表示させ、
前記表示画面の中央から離れて位置する領域において、前記表示画面の一辺に沿った一方向に、１のカテゴリに属するコンテンツに係るサムネイルを表示させ、
前記操作検出機能により検出される、表示させるサムネイルに係るコンテンツの属する前記１のカテゴリの切り替え操作に応じて、切り替え前の第１のカテゴリに属するコンテンツに係るサムネイルを移動させながら徐々に消し、切り替え先の第２のカテゴリに属するコンテンツに係るサムネイルを移動させながら表示させる表示制御機能と、
をコンピュータに実現させるためのプログラム。
【符号の説明】
【０１１８】
１０            カーソル
２０            フォーカス
１００        情報処理装置
１０２        コントローラ通信部
１０４        操作検出部
１０６        サーバ通信部
１０８        カテゴリ判別部
１１０        表示制御部
１１２        表示部
２００        リモートコントローラ
３００        コンテンツサーバ
【図１】
2020173862.tif 000003
【図２】
2020173862.tif 000004
【図３】
2020173862.tif 000005
【図４】
2020173862.tif 000006
【図５】
2020173862.tif 000007
【図６】
2020173862.tif 000008
【図７】
2020173862.tif 000009
【図８】
2020173862.tif 000010
【図９】
2020173862.tif 000011
【図１０】
2020173862.tif 000012
【図１１】
2020173862.tif 000013
【図１２】
2020173862.tif 000014
【図１３】
2020173862.tif 000015
【図１４】
2020173862.tif 000016
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
リモートコントローラと、情報処理装置とを含むシステムであって、
前記リモートコントローラは、タッチパッド式のリモートコントローラの場合はフリック操作であり、ボタン式のリモートコントローラの場合はカテゴリ切り替えボタンの押下操作である、カテゴリ切り替え操作に応じて、操作情報を生成するタッチパッド式またはボタン式のリモートコントローラであり、
前記情報処理装置は、
サムネイルと、該サムネイルに係るコンテンツの属する各カテゴリを示すカテゴリ情報と、カテゴリに属するコンテンツのサムネイルをグループ化するためのグループ情報とを含むコンテンツ情報をサーバから取得するサーバ通信部と、
前記リモートコントローラから前記操作情報を受信するコントローラ通信部と、
前記リモートコントローラから受信した前記操作情報に基づいてユーザ操作を検出する操作検出部と、
表示画面の中央を含む部分にコンテンツを表示させ、前記表示画面の一辺に沿った一方向に、前記カテゴリ情報によって示される第１のカテゴリに属するコンテンツに係るサムネイルを、表示されたコンテンツに重畳表示させる表示制御部と、
を備え、
前記表示制御部は、
前記サムネイルを、前記グループ情報に基づいて、前記サムネイルに係るコンテンツの属するグループがユーザに認識されるように表示し、
前記操作検出部により検出される、表示させるサムネイルに係るコンテンツの属する前記第１のカテゴリの切り替え操作である前記ユーザ操作に応じて、前記一方向に対して垂直方向に、表示されているサムネイルを移動させる、
システム。
【請求項２】
前記表示制御部は、グループを示すオブジェクトを、前記グループに属するコンテンツに係るサムネイルの周辺に表示させる、請求項１に記載のシステム。
【請求項３】
前記表示制御部は、前記操作検出部により前記サムネイルを選択する選択操作が検出されると、選択操作が行われたサムネイルに係るコンテンツの属するグループを示すオブジェクトの表示を強調させる、請求項２に記載のシステム。
【請求項４】
前記表示制御部は、前記操作検出部により検出されるユーザ操作に応じて前記サムネイルを移動させ、先に移動させるサムネイルに対して後続のサムネイルを遅れて移動させる、請求項１〜３のいずれか一項に記載のシステム。
【請求項５】
前記表示制御部は、前記第１のカテゴリを切り替える際、前記一方向に対して垂直方向に、表示されているサムネイルを動かした後、次に表示させるカテゴリに属するコンテンツに係るサムネイルを、前記一方向に対して垂直方向に移動させながら表示する、請求項１〜４のいずれか一項に記載のシステム。
【請求項６】
前記表示制御部は、前記操作検出部によりスクロール操作が検出されると、スクロール方向にあるサムネイルを、スクロール方向に対して反対方向にあるサムネイルよりも遅らせて、サムネイルをスクロール方向に対して反対方向に移動させる、請求項４に記載のシステム。
【請求項７】
前記表示制御部は、サムネイルの初期表示の際、画面中央に向かう方向にサムネイルを移動させながら表示させた後、画面中央に向かう方向への移動量よりも少ない移動量で画面中央から離れる方向にサムネイルを移動させる、請求項１〜６のいずれか一項に記載のシステム。
【請求項８】
前記表示制御部は、操作オブジェクトの位置が他のサムネイルの位置よりも近いサムネイルにフォーカスを当てる、請求項１〜７のいずれか一項に記載のシステム。
【請求項９】
前記表示制御部は、前記操作検出部により検出される操作体の移動量が所定の量を上回る場合、フォーカス中のサムネイルの前記操作体の移動方向に隣接するサムネイルにフォーカスを当てる、請求項１〜８のいずれか一項に記載のシステム。
【請求項１０】
前記表示制御部は、前記サムネイルを表示する際、前記第１のカテゴリの切り替えにより表示されるカテゴリに属するコンテンツに係るサムネイルの一部を表示する、請求項１〜９のいずれか一項に記載のシステム。
【請求項１１】
タッチパッド式のリモートコントローラの場合はフリック操作であり、ボタン式のリモートコントローラの場合はカテゴリ切り替えボタンの押下操作である、カテゴリ切り替え操作に応じて、タッチパッド式またはボタン式のリモートコントローラによって操作情報を生成することと、
サムネイルと、該サムネイルに係るコンテンツの属する各カテゴリを示すカテゴリ情報と、カテゴリに属するコンテンツのサムネイルをグループ化するためのグループ情報とを含むコンテンツ情報をサーバから取得することと、
前記リモートコントローラから前記操作情報を受信することと、
前記リモートコントローラから受信した前記操作情報に基づいてユーザ操作を検出することと、
表示画面の中央を含む部分にコンテンツを表示させることと、
前記表示画面の一辺に沿った一方向に、前記カテゴリ情報によって示される第１のカテゴリに属するコンテンツに係るサムネイルを、表示されたコンテンツに重畳表示させることと、
前記サムネイルを、前記グループ情報に基づいて、前記サムネイルに係るコンテンツの属するグループがユーザに認識されるように表示することと、
表示させるサムネイルに係るコンテンツの属する前記第１のカテゴリの切り替え操作である前記ユーザ操作に応じて、前記一方向に対して垂直方向に、表示されているサムネイルを移動させることと、
を含む情報処理方法。
【請求項１２】
タッチパッド式のリモートコントローラの場合はフリック操作であり、ボタン式のリモートコントローラの場合はカテゴリ切り替えボタンの押下操作である、カテゴリ切り替え操作に応じて、操作情報を生成するタッチパッド式またはボタン式のリモートコントローラと通信するコンピュータであって、
前記コンピュータに、
サムネイルと、該サムネイルに係るコンテンツの属する各カテゴリを示すカテゴリ情報と、カテゴリに属するコンテンツのサムネイルをグループ化するためのグループ情報とを含むコンテンツ情報をサーバから取得するサーバ通信機能と、
前記リモートコントローラから前記操作情報を受信するコントローラ通信機能と、
前記リモートコントローラから受信した前記操作情報に基づいてユーザ操作を検出する操作検出機能と、
表示画面の中央を含む部分にコンテンツを表示させ、前記表示画面の一辺に沿った一方向に、前記カテゴリ情報によって示される第１のカテゴリに属するコンテンツに係るサムネイルを、表示されたコンテンツに重畳表示させ、前記サムネイルを、前記グループ情報に基づいて、前記サムネイルに係るコンテンツの属するグループがユーザに認識されるように表示し、前記操作検出機能により検出される、表示させるサムネイルに係るコンテンツの属する前記第１のカテゴリの切り替え操作である前記ユーザ操作に応じて、前記一方向に対して垂直方向に、表示されているサムネイルを移動させる表示制御機能と、
を実現させるためのプログラム。